(57)【要約】      （修正有）【課題】生物の意識を安定させるための補助装置を提供する。【解決手段】収容部材と、電気制御部材２０と、送信部材３０とを含む。収容部材は、本体と、収容空間１２と、及び少なくとも１つの配線溝とを含み、且つ本体の一側は載置側として設定される。電気制御部材２０は、電源管理部と、制御部とを含む。送信部材３０はアンテナ３１と、アンテナ駆動部とを含む。アンテナ駆動部は制御部により制御されて伝播信号を生成し且つアンテナ３１にフィードバックすることで、アンテナ３１から周波数２〜１００Ｈｚの電波を発信させる。【選択図】図１
0003216306.tif 000002
【実用新案登録請求の範囲】
【請求項１】
生物の意識を安定させるための補助装置であって、
本体と、前記本体内に位置する収容空間と、前記本体を貫通し且つ前記収容空間と連通する少なくとも１つの配線溝とを含み、且つ前記本体の一側は載置側として設定される収容部材と、
前記収容空間内に設置され、電源管理部と、前記電源管理部に電気的に接続された制御部とを含む電気制御部材と、
前記収容空間内に設置され、且つアンテナと、前記アンテナと前記制御部とに電気的に接続されたアンテナ駆動部とを含み、
前記アンテナ駆動部は前記制御部により制御されて伝播信号を生成し且つ前記アンテナにフィードバックすることで、前記アンテナから周波数２〜１００Ｈｚの電波を発信させ、且つ前記アンテナの伝播方向は前記載置側と平行に設定される送信部材とを含むことを特徴とする生物の意識を安定させるための補助装置。
【請求項２】
前記本体は第１の分割部と、前記第１の分割部に設置された複数の位置決めピンと、第２の分割部と、前記第２の分割部に設置され且つ各前記位置決めピンにそれぞれ対応する複数の位置決めホルダーとを含み、且つ各前記位置決めピンと各前記位置決めホルダーとは前記本体の隅部に設置されることを特徴とする請求項１に記載の生物の意識を安定させるための補助装置。
【請求項３】
前記本体は前記第１の分割部の周縁に設置された第１の周壁と、前記第２の分割部の周縁に設置された第２の周壁とを含み、且つ前記第１の周壁と前記第２の周壁とは対応して設置されることを特徴とする請求項２に記載の生物の意識を安定させるための補助装置。
【考案の詳細な説明】
【技術分野】
【０００１】
本考案は、生物の意識を安定させるための補助装置に関し、特に低周波電波を生成して使用者の脳波を安定的な状態に誘導する生物の意識を安定させるための補助装置に関する。
【背景技術】
【０００２】
現代社会では、仕事の責任が重くなり生活のペースが早くなるのに伴い、プレッシャを感じる人は増えている。プレッシャが重なると、心理的な問題が生じて精神疾患を罹患する恐れがある。一方、生活の環境を調整すれば、ストレスを軽減・解消し、心身の健康を保つことができる。これに鑑み、アロマディフューザーという製品が開発・販売されるようになっている。アロマディフューザーは、精油を霧化して空間に拡散させて、嗅覚的な方式により使用者の情緒を緩和し、リラックスさせることを図るものである。
【０００３】
しかしながら、アロマディフューザーを使用すると内部に収容された精油が消費されてしまうが、精油の製造コストは高いため、消費者は購入するか否かを迷ってしまう。また、アロマディフューザーは霧化により精油を空間に拡散させるため、拡散の範囲が非常に限られており、また、発生した湿気により特定の材質の家具にシミができたり、カビが生じたりすることもある。
【考案の概要】
【考案が解決しようとする課題】
【０００４】
本考案は、従来のストレス軽減製品は、使用される消耗品のコストが高く、効果が及ぶ範囲が限られ、発生した湿気により悪影響が生じるなどの欠点により、消費者に受け入れられにくいなどの問題を解決することを目的とする。
【課題を解決するための手段】
【０００５】
上記の目的を達成すべく、本考案は、収容部材と、電気制御部材と、送信部材とを含む、生物の意識を安定させるための補助装置を提供する。前記収容部材は、本体と、前記本体内に位置する収容空間と、前記本体を貫通し且つ前記収容空間と連通する少なくとも１つの配線溝とを含み、前記本体の一側は載置側として設定される。前記電気制御部材は前記収容空間内に設置され、電源管理部と、前記電源管理部に電気的に接続された制御部とを含む。前記送信部材は前記収容空間内に設置され、アンテナと、前記アンテナと前記制御部とに電気的に接続されたアンテナ駆動部とを含む。前記アンテナ駆動部は前記制御部により制御されて伝播信号を生成し且つ前記アンテナにフィードバックすることで、前記アンテナから周波数２〜１００Ｈｚの電波を発信させ、且つ前記アンテナの伝播方向は前記載置側と平行に設定される。
【０００６】
さらに、前記本体は第１の分割部と、前記第１の分割部に設置された複数の位置決めピンと、第２の分割部と、前記第２の分割部に設置され且つ各前記位置決めピンにそれぞれ対応する複数の位置決めホルダーとを含み、且つ各前記位置決めピンと、各前記位置決めホルダーとは前記本体の隅部に設置される。
【０００７】
さらに、前記本体は前記第１の分割部の周縁に設置された第１の周壁と、前記第２の分割部の周縁に設置された第２の周壁とを含み、且つ前記第１の周壁と前記第２の周壁とは対応して設置される。
【考案の効果】
【０００８】
これにより、本考案による生物の意識を安定させるための補助装置は、低周波電波を送信することにより、使用者の脳波を安定的な状態に誘導することができる。
【図面の簡単な説明】
【０００９】
【図１】本考案による生物の意識を安定させるための補助装置の分解斜視図である。
【図２】図１を別の角度から見た分解斜視図である。
【図３】本考案による生物の意識を安定させるための補助装置が組み立てられた状態を示す図である。
【図４】本考案による生物の意識を安定させるための補助装置を外部電源に接続するときの概略図である。
【図５】本考案による生物の意識を安定させるための補助装置にインジケータランプが接続されるときの概略図である。
【図６】本考案による生物の意識を安定させるための補助装置の使用状態の概略図である。
【図７】本考案による生物の意識を安定させるための補助装置のブロック図である。
【考案を実施するための形態】
【００１０】
本考案の技術については、図１、図２、図３、図４、図５、図６、図７を参照されたい。本考案は、収容部材１０と、電気制御部材２０と、送信部材３０とを含む生物の意識を安定させるための補助装置１００を提供する。本考案による生物の意識を安定させるための補助装置１００は、非接触型の脳波刺激モジュールである。低周波電波により、使用者をリラックスさせ、思想を集中させ、専念させ又は安眠に導くことができる。さらに、本考案は使用に年齢制限がなく、児童、若年者又は高齢者はいずれも、本考案による生物の意識を安定させるための補助装置１００を使用して精神状態を安定させることができる。また、本考案は、ペットの情緒を安定させることもできる。具体的には、前記収容部材１０は本体１１と、前記本体１１内に位置する収容空間１２と、前記本体１１を貫通し且つ前記収容空間１２と連通する少なくとも１つの配線溝１３とを含み、且つ前記本体１１の一側は載置側１１１として設定される。本考案における用語「載置側１１１」とは、前記生物の意識を安定させるための補助装置１００を机、本棚又はベッドサイドテーブルなどに置く側を指す。本実施形態では、前記本体１１は、第１の分割部１１２と、前記第１の分割部１１２に設置された複数の位置決めピン１１３と、第２の分割部１１４と、前記第２の分割部１１４に設置され且つ各前記位置決めピン１１３にそれぞれ対応する複数の位置決めホルダー１１５とを含み、且つ各前記位置決めピン１１３と各前記位置決めホルダー１１５とは前記本体１１の隅部に設置される。各前記位置決めピン１１３と各前記位置決めホルダー１１５とを互いに密接するように設置することで、前記収容空間１２を密閉させる。さらに、前記本体１１は、前記第１の分割部１１２の周縁に設置された第１の周壁１１６と、前記第２の分割部１１４の周縁に設置された第２の周壁１１７とを含み、且つ前記第１の周壁１１６と前記第２の周壁１１７とは対応して設置される。前記第１の周壁１１６の前記収容空間１２に近接した側は前記収容空間１２から離間した側よりも低いため、前記第２の周壁１１７と前記第１の周壁とを合わせて、２つの分割部を係合させて位置決めすることができる。前記配線溝１３は前記収容部材１０を出入する電気信号の通路を残しておくことで、インジケータランプとの接続、データの入出力又は電源との接続を実現する
【００１１】
前記電気制御部材２０は、前記収容空間１２内に設置される。前記電気制御部材２０は電源管理部２１と、前記電源管理部２１に電気的に接続された制御部２２とを含む。本実施形態では、前記電源管理部２１（ｐｏｗｅｒ  ｍａｎａｇｅｒ  ｕｎｉｔ）は高度に集積化された電源管理チップであり、特にポータブル装置に適し、電圧安定化回路と、直流／交流コンバータと、電源の電気的特性を検出して制御信号を生成する演算回路とを含む。
【００１２】
前記送信部材３０は、同じく前記収容空間１２内に設置され、前記送信部材３０はアンテナ３１と、前記アンテナ３１と前記制御部２２とに電気的に接続されたアンテナ駆動部３２とを含む。前記アンテナ駆動部３２は前記制御部２２により制御されて伝播信号を生成し且つ前記アンテナ３１にフィードバックすることで、前記アンテナ３１から周波数２〜１００Ｈｚの電波を発信させ、且つ前記アンテナ３１の伝播方向は前記載置側１１１と平行に設定される。前記制御部２２は例えば、マイクロコントローラ、又は予めプログラムが書き込まれたチップであり、前記アンテナ３１から出力された電波の周波数及び構成を調整する。前記制御部２２は前記配線溝１３によってデスクトップパソコン、ノートパソコンなどのデバイスに接続することで、前記アンテナ３１から発信された電波の周波数を変えることもできる。好ましい実施形態として、前記アンテナ３１は無指向性アンテナ３１であり、これに基づき、前記アンテナ３１の伝播方向は、前記載置側１１１と平行になるよう設定するのが好ましい。これにより、使用者が前記生物の意識を安定させるための補助装置１００を机、ベッドサイドテーブルなどに置くと、電波はすべての方向において伝播して、使用者又はペットに触れることができる。さらに、電波に設定された周波数帯域により、使用者の思想を集中させ、安眠に導き、ペットの情緒を安定させるなどの効果を生み出すことができる。
【００１３】
さらに、前記生物の意識を安定させるための補助装置１００はさらに、外部電源４０と、前記外部電源４０と前記電源管理部２１との間に介在し且つ前記配線溝１３を通過して電源供給装置に接続するための導線５０を含んでもよい。また、前記生物の意識を安定させるための補助装置１００はさらに、前記電源管理部２１に電気的に接続された内部電源６０（例えば、リチウム電池など）を含んでもよい。また、前記生物の意識を安定させるための補助装置１００はさらに、前記配線溝１３によって前記電気制御部材２０に電気的に接続されたインジケータランプ７０を含み、前記インジケータランプ７０は、例えば発光ダイオード、電球又はエレクトロルミネセンス光源などである。
【００１４】
以下にて電波の周波数と意識との関連性についてさらに説明する。台湾国立嘉義大学が２０１３年に発表した「異なる周波数のバイノーラルビート（両耳性うなり）楽曲による注意力集中及びリラックス状態の脳波への影響に関する研究」という論文に記載された内容に基づき、脳波の周波数と人間の意識状態との対応関係を下表にまとめる。
【００１５】
【表１】
0003216306.tif 000003
【００１６】
上表から分かるように、前記生物の意識を安定させるための補助装置１００は、初期に使用者が覚醒するとき、浅い睡眠に誘導するθ波を発信し、使用者が入眠したら前記アンテナ３１により超低周波のδ波を発信して、使用者をより深い睡眠状態に誘導するように設定することができる。また、シューマン周波数（７．８３〜８Ｈｚ）を用いて入眠を補助してもよい。その入眠補助効果は、例えば、使用者の心拍変動（Ｈｅａｒｔ  Ｒａｔｅ  Ｖａｒｉａｂｉｌｉｔｙ、ＨＲＶ）の変化率を計測することで取得する。さらに、使用者はヨガ、瞑想などのストレス緩和効果のある運動をするとき、使用者がリラックスして、精神を集中できるように、前記生物の意識を安定させるための補助装置１００において前記アンテナ３１からα波、及びβ波を発信するように設定することができる。使用者が注意力を集中して仕事に専念する必要がある場合、使用者の脳波を誘発して、専念させるように、前記生物の意識を安定させるための補助装置１００において前記アンテナ３１から高周波数のγ波、及びβ波を発信するように設定してもよい。本考案では、前記生物の意識を安定させるための補助装置１００において、ペットを入眠させることに適する周波数帯域を設定することで、ペットに十分に睡眠させ、健康の状態を保ち、情緒を安定させることもできる。
【符号の説明】
【００１７】
生物の意識を安定させるための補助装置  １００
収容部材  １０
本体  １１
載置側  １１１
第１の分割部  １１２
位置決めピン  １１３
第２の分割部  １１４
位置決めホルダー  １１５
第１の周壁  １１６
第２の周壁  １１７
収容空間  １２
配線溝  １３
電気制御部材  ２０
電源管理部  ２１
制御部  ２２
送信部材  ３０
アンテナ  ３１
アンテナ駆動部  ３２
外部電源  ４０
導線  ５０
内部電源  ６０
インジケータランプ  ７０
【図１】
0003216306.tif 000004
【図２】
0003216306.tif 000005
【図３】
0003216306.tif 000006
【図４】
0003216306.tif 000007
【図５】
0003216306.tif 000008
【図６】
0003216306.tif 000009
【図７】
0003216306.tif 000010